(57)【要約】【課題】本体ケースの外観形状に特徴をもたせることによってデザイン性を備えたものとし、使用者に大きな満足感を与えるとともに、嗜好がマッチした人の購買意欲を喚起することの可能なＵＳＢメモリ装置を提供する。【解決手段】自動車の外観形状を略縮小した立体形状をなす本体ケース１とＵＳＢ本体としての可動部４とを備えるＵＳＢメモリ装置であって、本体ケース１は可動部４を装着する装着部３０を備えるとともに自動車の前面に設けられるエア取込口としてのフロントグリルに対応する位置に開口２１ａを備え、可動部４のＵＳＢコネクタ４１を開口２１ａから突出する使用位置と、開口２１ａより引き込まれ前記本体ケース内に収容される収容位置との間で移動可能に構成した。【選択図】図１
2017027295.tif 000002
【特許請求の範囲】
【請求項１】
自動車の外観形状を略縮小した立体形状をなす本体ケースとＵＳＢ本体とを備えるＵＳＢメモリ装置であって、前記本体ケースは前記ＵＳＢ本体を装着する装着部を備えるとともに前記自動車の前面に設けられるエア取込口に対応する位置に開口を備え、前記ＵＳＢ本体のＵＳＢコネクタを前記開口から突出する使用位置と、前記開口より引き込まれ前記本体ケース内に収容される収容位置との間で移動可能に構成したことを特徴とするＵＳＢメモリ装置。
【請求項２】
前記本体ケースの下面に設けられた操作用開口から突出し、前記ＵＳＢコネクタを連動して動作させる操作突起を備えていることを特徴とする請求項１記載のＵＳＢメモリ装置。
【請求項３】
テールランプを模して形成された点灯手段を備え、当該点灯手段はメモリのアクセス状況に応じて点灯又は消灯する赤色ＬＥＤを有していることを特徴とする請求項１又は２記載のＵＳＢメモリ装置。
【請求項４】
前記本体ケースが複数のケース部品に分割して構成され、少なくとも一部のケース部品が３次元造形機を用いた造形品であることを特徴とする請求項１〜３記載のＵＳＢメモリ装置。
【請求項５】
前記本体ケースが複数のケース部品に分割して構成され、少なくとも一部のケース部品が金型を用いた成形品であることを特徴とする請求項１〜３記載のＵＳＢメモリ装置。
【発明の詳細な説明】
【技術分野】
【０００１】
本発明は、ＵＳＢコネクタを本体ケースに収容することのできるＵＳＢメモリ装置に関するものである。
【背景技術】
【０００２】
従来、パーソナルコンピュータやプリンタ等の周辺機器に備えられたＵＳＢ（Ｕｎｉｖｅｒｓａｌ  Ｓｅｒｉａｌ  Ｂｕｓ）ポートに接続して使用可能なＵＳＢメモリ装置が提供されている。通常のＵＳＢメモリ装置においては、ＵＳＢコネクタがメモリ装置本体から突出した状態で固定されるため、ＵＳＢメモリ装置を持ち運ぶ際などに、ＵＳＢコネクタが露出したままの状態ではＵＳＢコネクタを損傷させる恐れがある。また、ＵＳＢコネクタに保護のためのキャップを被せるように構成した場合は、着脱に手間がかる上、キャップを紛失する恐れがある。
【０００３】
これに対し、下記特許文献１には、本体ケースと、この本体ケースに対して移動可能な可動部とを有し、可動部はＵＳＢコネクタを備え、このＵＳＢコネクタが本体ケースから突出する位置と本体ケース内に収容される位置との間で移動可能とするＵＳＢメモリ装置が開示されている。このものは、ＵＳＢメモリ装置を使用する場合にはＵＳＢコネクタを突出させることでＵＳＢポートに接続可能とし、ＵＳＢメモリ装置を持ち運ぶ際などには、ＵＳＢコネクタを本体ケース内に収容することで、ＵＳＢコネクタを保護することが可能となっている。
【先行技術文献】
【特許文献】
【０００４】
【特許文献１】実用新案登録第３１１０９２４号公報
【発明の概要】
【発明が解決しようとする課題】
【０００５】
しかしながら、特許文献１に記載のものを含めたＵＳＢメモリ装置の本体ケースは、断面が矩形や長円形である単純な筒体状の形状をしており、形状に格別な特徴があるとはいえない。そのため、複数のＵＳＢメモリの見分けがつかなくなることが懸念され、また、使用者は所有することによる満足感を得ることもできない。
【０００６】
本発明は、このような課題を有効に解決することを目的としており、具体的には、本体ケースの外観形状に特徴をもたせることによってデザイン性を備えたものとし、所有することによる大きな満足感を与えることができるＵＳＢメモリ装置を提供することを目的とする。
【課題を解決するための手段】
【０００７】
本発明は、かかる目的を達成するために、次のような手段を講じたものである。
【０００８】
すなわち、本発明のＵＳＢメモリ装置は、自動車の外観形状を略縮小した立体形状をなす本体ケースとＵＳＢ本体とを備えるＵＳＢメモリ装置であって、前記本体ケースは前記ＵＳＢ本体を装着する装着部を備えるとともに前記自動車の前面に設けられるエア取込口に対応する位置に開口を備え、前記ＵＳＢ本体のＵＳＢコネクタを前記開口から突出する使用位置と、前記開口より引き込まれ前記本体ケース内に収容される収容位置との間で移動可能に構成したことを特徴とする。
【０００９】
ここで、略縮小とは、自動車の形状をそのままにしてサイズのみを小さくすることに加えて、自動車の外観的特徴を認識することができる程度に、細部の形状の省略や、外部に表れることのない底部のフレーム等の簡略化を行いながらサイズを小さくすることも含む。
【００１０】
このように構成すると、本体ケースが自動車の外観形状を略縮小した立体形状をなすことから、ＵＳＢ本体のＵＳＢコネクタを本体ケース内に収容可能であることと相まって、自動車の外観形状を再現することができる。さらに、自動車の外観形状を略縮小すると、自動車の前面に設けられるエア取込口に対応する位置がＵＳＢコネクタを突没させる開口として適切な大きさとなり、このエア取込口に対応する位置を開口に設定することによって、自動車の外観形状をより忠実に再現することが可能となる。そのため、ＵＳＢメモリ装置にデザイン性を持たせることができ、ＵＳＢメモリ装置の使用者に所有することによる大きな満足感を与えるとともに、嗜好がマッチした人の購買意欲を喚起することが可能となる。
【００１１】
加えて、本体ケースの外観形状に特徴を持たせることで、使用者はＵＳＢメモリ装置の上下方向の向きを容易に記憶することができるため、ＵＳＢコネクタのＵＳＢポートへの接続方向を間違えることを抑制することも可能となっている。
【００１２】
また、自動車としての外観形状を損なわずにＵＳＢコネクタを外部より操作可能とするためには、前記本体ケースの下面に設けられた操作用開口から突出し、前記ＵＳＢコネクタを連動して動作させる操作突起を備えていることが好適である。
【００１３】
さらに、メモリのアクセス状況を把握可能としつつ、本体ケースの外観形状を再現する自動車により類似させるためには、テールランプを模して形成された点灯手段を備え、当該点灯手段はメモリのアクセス状況に応じて点灯又は消灯する赤色ＬＥＤを有していることが好適である。
【００１４】
加えて、本体ケースを簡単でありながら精巧に製作するためには、前記本体ケースが複数のケース部品に分割して構成され、少なくとも一部のケース部品が３次元造形機を用いた造形品であることが好適である。
【００１５】
さらに、上記３次元造形機を用いる構造に代えて、前記本体ケースが複数のケース部品に分割して構成され、少なくとも一部のケース部品が金型を用いた成形品であることも好適である。
【発明の効果】
【００１６】
以上説明した本発明によれば、本体ケースに自動車という独特の形状を持たせることによってデザイン性を備えたものとし、所有することによる大きな満足感を与えるとともに、嗜好がマッチした人の購買意欲を喚起することが可能なＵＳＢメモリ装置を提供することが可能となる。
【図面の簡単な説明】
【００１７】
【図１】本発明の実施形態に係るＵＳＢメモリ装置を上方より見た場合の斜視図。
【図２】同ＵＳＢメモリ装置を下方より見た場合の斜視図。
【図３】同ＵＳＢメモリ装置を後方より見た場合の斜視図。
【図４】同ＵＳＢメモリ装置を前方より見た場合の正面図。
【発明を実施するための形態】
【００１８】
以下、本発明の実施形態を、図面を参照して説明する。
【００１９】
図１及び図２は、本実施形態に係るＵＳＢメモリ装置の外観形状を示す斜視図であり、図１は上方より見た場合の斜視図、図２は下方より見た場合の斜視図となっている。また、図１（ａ）及び図２（ａ）はそれぞれＵＳＢコネクタ４１が本体ケース１より突出した状態（以後、使用状態と呼ぶ）を示し、図１（ｂ）及び図２（ｂ）はそれぞれ後述するＵＳＢコネクタ４１が本体ケース１に収容された状態（以後、収容状態と呼ぶ）を示している。
【００２０】
なお、本実施形態において、ＵＳＢメモリ装置の各部の構成及び動作を説明するために使用される上下、前後、左右等を示す表現は、自動車の上下、前後、左右の向きと同様とする。
【００２１】
図１及び図２に示すように、ＵＳＢメモリ装置は、主に本体ケース１と、この本体ケース１に装着され、本体ケース１に対して移動可能なＵＳＢ本体としての可動部４（図２参照）とから構成される。
【００２２】
本体ケース１は、上部ケース２と下部ケース３の２つのケース部品とを備える樹脂製のケースであり、自動車の外観形状を再現した形状となっている。ここで、自動車の外観形状を再現した形状とは、自動車の外観形状を縮小するとともに、細部を省略しつつやや簡略化した形状のことを示す。ただし、全長に対するノーズの長さや、運転席の大きさ、窓の大きさ、さらには全高に対するボンネットの高さ等の比率は実際の自動車とほぼ同一にしている。なお、再現する自動車として、例えばトヨタ２０００ＧＴなど往年の名車を使用するようにすれば、自動車ファンなど、嗜好がマッチした人を満足させるＵＳＢメモリ装置とすることができる。また、本実施形態における本体ケース１を構成する上部ケース２及び下部ケース３はいずれも、一般に３Ｄプリンタと称される３次元造形機を用いて造形された造形品とされている。そのため、所望の自動車に応じて造形品のデータを入れ替えることで、短時間で簡単に自動車の外観形状を略縮小した本体ケース１を製作することが可能である。また、本体ケース１に収容する可動部４の形状や寸法が異なる場合であっても、それに応じて造形品のデータを入れ替えるのみで可動部４を適切に収容することのできる本体ケース１を容易に製作することができる。
【００２３】
上部ケース２は、図１及び図３に示すように、自動車のボディ部分に相当し、本体ケース１の上面側を構成するものであり、自動車の外観形状を略縮小した立体形状を備えるとともに、薄肉に形成され、バンパーやフロントグリル等が配置される自動車の前面に対応する前面部２１と、テールランプやリアバンパー等が配置される自動車の後面に対応する後面部２２を含んで一体的に構成されている。また、上部ケース２は下方に向かって内部空間が開放されており、下部ケース３とともに可動部４（図２参照）を収容できるようになっている。
【００２４】
前面部２１は、図１及び図４に示すように、バンパーやフロントグリル等が配置される自動車の前面部分に対応する部位であり、本実施形態においては、フロントグリルに対応する位置が開口２１ａとなっており、後述するＵＳＢコネクタ４１を突没させることが可能となっている。なお、前述のトヨタ２０００ＧＴは前面に略矩形のフロントグリルを備えているが、本体ケース１が再現する自動車としてこのように前面に略矩形のエア取込口を備えた自動車を採用すると、自動車の外観形状を損なわずにＵＳＢコネクタ４０を突没させるための開口２１ａを設けることができるため、好適である。
【００２５】
後面部２２は、図３に示すように、テールランプやリアバンパー等が配置される自動車の後面部分に対応する部位であり、本実施形態においては、テールランプに対応する位置を赤色に点灯させることの可能な点灯手段２３が設けられている。
【００２６】
点灯手段２３は、後述する赤色ＬＥＤ４３と、この赤色ＬＥＤ４３が放つ赤色光を透過させる透過部２３ａとから構成され、テールランプが赤色に点灯する状態を模擬することを可能とするものである。なお、本実施形態において、透過部２３ａは上部ケース２の樹脂を繰り抜くことで開口を設け、この開口にアクリルなどの光を透過する部材を取り付けることによって形成されるが、単に上部ケース２に開口を設けるだけの構成とすることも可能である。
【００２７】
一方、下部ケース３は、図２に示すように、自動車のフレーム及び車輪部分に相当し、本体ケース１の下面側を構成するものであり、一般に自動車のフレームは外観に殆ど表れないものであることから下部ケース３は簡略化した構成としている。具体的には、下部ケース３は、略直方体状の箱形とし、この内部には可動部４を装着するための装着部３０（図３参照）が設けられるとともに、側面には車輪を模して形成された車輪部３１が設けられている。
【００２８】
また、下部ケース３の下面３ＡはＵＳＢメモリ装置の下面を構成しているとともに、その中央には、下部ケース３の内部（図２では下方）に向かって凹んだ凹部３２が形成されている。
【００２９】
装着部３０は、図３に示すように、コの字型の形状をなす左右１対の部材を前後に備えることで構成され（図３においては前側の１対を省略している）、可動部４を本体ケース１に対して前後方向に移動可能な状態で支持するものであり、可動部４はこの装着部３０によって本体ケース１に装着されるようになっている。なお、本実施形態においては、装着部３０は本体ケース１のうち下部ケース３に設けるよう構成しているが、上部ケース２に設けるように構成してもよく、また、上部ケース２と下部ケース３の両方の部材によって装着部３０を構成することも可能である。さらに、可動部４が本体ケース１に対して移動可能な状態で位置決めされるのであれば、コの字型の部材から構成されるものに限らず、適宜他の構成を採ることも可能である。
【００３０】
車輪部３１は、自動車に備えられる車輪を模して形成されたものであり、下部ケース３の両側面の２箇所ずつ合計４箇所に配置され、この車輪部３１によってＵＳＢメモリ装置が支持されるようになっている。
【００３１】
凹部３２は、上述したように下部ケース３の内部（図２では下方）に向かって凹んでおり、下面視において逆四角錐台状をなしていて、凹部３２の底となる部分には矩形状の操作用開口３３が形成されている。そして、後述する操作突起４２がこの操作用開口３３を介して突出するように設けられている。なお、この凹部３２によって、操作用開口３３を介して突出する操作突起４２が下面３Ａを越えて下方にまでは突出しないようになっている。
【００３２】
操作用開口３３は、下部ケース３より操作突起４２を突出させるべく設けられた矩形状の開口である。
【００３３】
次に、可動部４は、回路基板４０（図３参照）と、ＵＳＢコネクタ４１と、操作突起４２とを含んで構成される部材であり、本体ケース１の備える装着部３０によって、上部ケース２と下部ケース３とによって閉止される空間に装着され、ＵＳＢコネクタ４１及び操作突起４２と一体となって、本体ケース１に対して前後方向に移動可能となっている。
【００３４】
回路基板４０（図３参照）は、メモリ素子を備え、電気的に接続されるＵＳＢコネクタ４１を介してパーソナルコンピュータやプリンタ等の周辺機器と接続し、データの記憶を行う記憶装置としての機能を有するものである。また、回路基板４０には、アクセスランプとして赤色ＬＥＤ４３が設けられており、メモリ素子へのアクセス状況に応じて点灯又は消灯するようになっている。そして、上述したように、この赤色ＬＥＤ４３と後面部２２に設けられた透過部２３ａとによって点灯手段２３が構成されており、赤色ＬＥＤ４３の点灯による光が透過部２３ａを介して本体ケースの外部へ発せられるため、赤色ＬＥＤ４３がメモリ素子へのアクセス状況に応じて点灯することによって、自動車のテールランプが赤色に点灯する状態を模擬することが可能となっている。
【００３５】
ＵＳＢコネクタ４１は、上述の回路基板４０と電気的に接続されるものであり、パーソナルコンピュータやプリンタ等の周辺機器が備える相手側コネクタとしてのＵＳＢポートに接続される。また、ＵＳＢコネクタ４１は、可動部４の動作と連動して上部ケース２の開口２１ａから突出する使用位置（図１（ａ）及び図２（ａ）参照）と、開口２１ａより引き込まれ前記本体ケース１内に収容される収容位置（図１（ｂ）及び図２（ｂ）参照）との間で移動可能となっている。なお、ＵＳＢコネクタ４１が使用位置にあるときには、ＵＳＢコネクタ４１はＵＳＢポートに接続するのに十分な長さだけ開口２１ａより突出するようになっている。また、ＵＳＢコネクタ４１が使用位置にある状態と収容位置にある状態とは、それぞれＵＳＢメモリ装置の使用状態と収容状態とに対応する。
【００３６】
ここで、このＵＳＢコネクタ４１及び、前述の赤色ＬＥＤ４３を含む回路基板４０は、一般的なＵＳＢメモリ装置の部品として大量生産されるものを利用することが可能となっている。そして、このＵＳＢコネクタ４１及び回路基板４０を組み込むことで可動部４を製造することが可能となっている。
【００３７】
操作突起４２は、ＵＳＢコネクタ４１を含む可動部４を前後方向に移動させ、ＵＳＢコネクタ４１を上述の使用位置と収容位置との間で移動させるために設けられるものであり、左右の幅は操作用開口３３の左右の幅よりわずかに小さく設定されている。そして、この操作突起４２は下部ケース３の凹部３２に設けられた操作用開口３３より突出することによって、前後方向に移動させることが可能となっている。また、操作突起４２の先端は、操作がしやすいよう滑り止めのための凹凸を備えた形状とされるとともに、凹部３２の内部に留まるようにしており、下面３Ａを越えて下方にまでは突出しないようになっている。そのため、本実施形態のＵＳＢメモリ装置を上方または側方より見た場合に、この操作突起４２は見えないようになっており、自動車としての外観形状を損なわないようになっている。
【００３８】
このように、操作突起４２は下部ケース３の下面３Ａから下方へ突出するよう設けられているため、自動車としての外観形状を損なわずにＵＳＢコネクタ４１を外部より操作可能とすることができる。
【００３９】
次に、上述した構成のＵＳＢメモリ装置の動作を、図１及び図２を用いて説明する。
【００４０】
まず、本実施形態におけるＵＳＢメモリ装置をパーソナルコンピュータやプリンタ等の周辺機器に設けられるＵＳＢポートと接続する際には、図１（ａ）及び図２（ａ）に示すようにＵＳＢメモリ装置を使用状態とし、相手側となるＵＳＢポートと接続する。なお、この接続の際、本体ケース１が自動車の外観形状を再現した形状であるため、ＵＳＢメモリ装置の使用者は上下方向の向きを容易に記憶することができる。そのため、ＵＳＢコネクタ４１のＵＳＢポートへの接続方向を間違えることを抑制することが可能となっている。また、ＵＳＢコネクタ４１をＵＳＢポートに接続する向きと自動車を前方へ移動させる向きが一致するため、ＵＳＢメモリ装置の使用者は自動車を走行させる感覚でＵＳＢメモリ装置をＵＳＢポートに接続でき、楽しみながらＵＳＢメモリ装置の接続を行うことができる。
【００４１】
次に、ＵＳＢメモリ装置を使用状態から収容状態にする場合は、使用者は指などを使用して、操作突起４２を後方（図２（ａ）の矢印Ｘの方向）にスライドさせる。この際、操作突起４２は操作用開口３３よりも突出しており、滑り止めのための突起が設けられているため、使用者は、操作突起４２を容易に操作することができる。
【００４２】
そして、操作突起４２を操作用開口３３の後縁３３ｂに当接させることで、ＵＳＢメモリ装置は図２（ｂ）の収容状態となり、ＵＳＢコネクタ４１は本体ケース１内に収容される。このＵＳＢメモリ装置が収容状態にあるときは、図１（ｂ）及び図４にも示すように、ＵＳＢコネクタ４１が外観では見えない位置に移動した状態となるため、持ち運びの際などにＵＳＢコネクタ４１の損傷を防ぐとともに、自動車の外観形状を再現することができ、ＵＳＢメモリ装置に優れた外観形状を持たせることができる。
【００４３】
さらに、本実施形態においては、ＵＳＢコネクタ４１を突没させる開口２１ａが自動車のフロントグリルに対応する位置に設けられており、図１（ｂ）及び図４に示すように、自動車の外観形状をほとんど損なうことなく開口２１ａを設けることが可能となるため、自動車の外観形状をより正確に再現することが可能となる。そのため、ＵＳＢメモリ装置にデザイン性を持たせることができ、ＵＳＢメモリ装置の使用者に所有することによる大きな満足感を与えるとともに、嗜好がマッチした人の購買意欲を喚起することが可能となる。
【００４４】
次に、ＵＳＢメモリ装置を収容状態から使用状態にする場合は、上記とは逆に、使用者は操作突起４２を前方（図２（ｂ）の矢印Ｙの方向）にスライドさせる。そして、操作突起４２を操作用開口３３の前縁３３ａに当接させることで、ＵＳＢメモリ装置は図２（ａ）及び図１（ａ）に示す使用状態となり、ＵＳＢコネクタ４１は相手側であるＵＳＢポートに接続可能な状態となる。このように、本実施形態におけるＵＳＢメモリ装置は、操作突起４２を移動させるだけの簡単な操作によって、ＵＳＢコネクタ４１を使用位置と収容位置との間で移動させることが可能となっている。
【００４５】
以上のように、本実施形態に係るＵＳＢメモリ装置は、自動車の外観形状を略縮小した立体形状をなす本体ケース１とＵＳＢ本体としての可動部４とを備えるＵＳＢメモリ装置であって、本体ケース１は可動部４を装着する装着部３０を備えるとともに自動車の前面に設けられるエア取込口としてのフロントグリルに対応する位置に開口２１ａを備え、可動部４のＵＳＢコネクタ４１を開口２１ａから突出する使用位置と、開口２１ａより引き込まれ前記本体ケース１内に収容される収容位置との間で移動可能に構成したものである。
【００４６】
このように構成しているため、本体ケース１が自動車の外観形状を略縮小した立体形状をなすことから、ＵＳＢコネクタ４１を本体ケース１内に収容可能であることと相まって、自動車の外観形状を再現することができる。さらに、自動車の外観形状を略縮小すると、自動車の前面に設けられるフロントグリルに対応する位置がＵＳＢコネクタ４１を突没させる開口と２１ａして適切な大きさとなり、このフロントグリルに対応する位置を開口２１ａに設定することによって、自動車の外観形状をより忠実に再現することが可能となる。そのため、ＵＳＢメモリ装置にデザイン性を持たせることができ、ＵＳＢメモリ装置の使用者に所有することによる大きな満足感を与えるとともに、嗜好がマッチした人の購買意欲を喚起することが可能である。
【００４７】
加えて、本体ケース１の外観形状に特徴を持たせることで、使用者はＵＳＢメモリ装置の上下方向の向きを容易に記憶することができるため、ＵＳＢコネクタ４１のＵＳＢポートへの接続方向を間違えることを抑制することも可能である。
【００４８】
また、本体ケース１の下面３Ａに設けられた操作用開口３３から突出し、ＵＳＢコネクタ４１を連動して動作させる操作突起４２を備えていることから、自動車としての外観形状を損なわずにＵＳＢコネクタ４１を外部より操作可能とすることができる。
【００４９】
さらに、テールランプを模して形成された点灯手段２３を備え、点灯手段２３はメモリのアクセス状況に応じて点灯又は消灯する赤色ＬＥＤ４３を有していることから、メモリのアクセス状況を把握可能としつつ、本体ケース１の外観形状を再現する自動車により類似させることができる。
【００５０】
加えて、本体ケース１が複数のケース部品としての上部ケース２と下部ケース３に分割して構成され、上部ケース２と下部ケース３が３次元造形機を用いた造形品であることから、本体ケース１を簡単でありながら精巧に製作することが可能となっている。
【００５１】
なお、各部の具体的な構成は、上述した実施形態のみに限定されるものではない。
【００５２】
例えば、上述の実施形態では、本体ケース１を上部ケース２及び下部ケース３の２つに分割した構成としていたが、内部に回路基板４０を備えた可動部４を装着して組立可能である限り、上中下の３つのケース部品に分ける構成や、それ以上の多数に分割した構成とすることもできる。加えて、本体ケース１の自動車の窓に対応する部分にガラスを嵌めこむなど異種材料の部品を組み合わせて使用することも可能であるし、塗装による仕上げを行うことも可能である。さらに、金属製の軸等を使用して車輪部３１が下部ケース３に対して回転自在に支持されるように構成してもよい。
【００５３】
また、上述の実施形態では、本体ケース１を構成するケース部品としての上部ケース２及び下部ケース３の双方を３次元造形機を用いた造形品としていたが、これらのいずれか、あるいは双方を金型を用いる成形品としてもよい。具体的にはＡＢＳ樹脂による成形や、アルミダイキャストなどの手法を好適に用いることができ、このような場合でも、同様の効果を得ることができる。すなわち、本体ケース１が複数のケース部品２，３に分割して構成され、少なくとも一部のケース部品が金型を用いた成形品であるように構成した場合でも、上記に準じた効果を得ることができる。さらに、本体ケース１として、市販のミニカーの下部に開口を設けたものを利用することも可能である。
【００５４】
さらに、上述した実施形態においては、自動車のフロントグリルに対応する位置にＵＳＢコネクタ４１を突出させる開口２１ａを設けるように構成したが、再現する自動車の車種によって、エアインテーク等他のエア取り込み口に対応する位置に開口２１ａを設けるように構成することも可能である。
【００５５】
加えて、上述した実施形態においては、ＵＳＢ本体である可動部４を回路基板４０とＵＳＢコネクタ４１と操作突起４２とを含んで構成し、この可動部４が本体ケース１に装着されることによってＵＳＢメモリ装置を構成しているが、このＵＳＢ本体である可動部４を市販のＵＳＢメモリ装置そのものとし、本体ケース１に対して市販のＵＳＢメモリ装置を後付けで装着することによって本発明に係るＵＳＢメモリ装置を製造することも可能である。なお、市販のＵＳＢメモリ装置にＵＳＢコネクタ４１をスライドさせる機構が備えられていない場合には、市販のＵＳＢメモリ装置の一部を本体ケースから露出させることや、市販のＵＳＢメモリ装置に別部材を取り付けることによって操作突起４２を構成することが好適である。
【００５６】
さらに、上述した実施形態におけるＵＳＢメモリ装置は、使用位置と収容位置で可動部４をロックするロック機能を備えるように構成してもよい。
【００５７】
その他の構成も、本発明の趣旨を逸脱しない範囲で種々変形が可能である。
【符号の説明】
【００５８】
１…本体ケース
２…上部ケース（ケース部品）
３…下部ケース（ケース部品）
３Ａ…（下部ケースの）下面
４…可動部（ＵＳＢ本体）
２１ａ…開口
２３…点灯手段
３０…装着部
３３…操作用開口
４１…ＵＳＢコネクタ
４２…操作突起
４３…赤色ＬＥＤ
【図１】
2017027295.tif 000003
【図２】
2017027295.tif 000004
【図３】
2017027295.tif 000005
【図４】
2017027295.tif 000006